(57)【要約】      （修正有）【課題】手及び／又は足を所定方向に矯正することで、所定の姿勢へと無理なく誘導することができる健康器具を提供する。【解決手段】手の親指を保持する親指保持部１２、１２ａ、１２ｂと、手の小指を保持する小指保持部１０、１０ａと、前記親指保持部と前記小指保持部とを連結する連結部２０、２０ａ、２０ｂとを備え、前記親指保持部が、前記親指の中手骨と基節骨との間の第１の関節部付近を保持し、前記小指保持部が、前記小指の中手骨と基節骨との間の第２の関節部付近を保持し、前記連結部が、金属材料、木材、布状素材、樹脂材料、又は紐からなり、前記第１の関節部付近と前記第２の関節部付近とを近接させ保持する。【選択図】図１
0003217091.tif 000002
【実用新案登録請求の範囲】
【請求項１】
手の親指を保持する親指保持部と、
前記手の小指を保持する小指保持部と、
前記親指保持部と前記小指保持部とを連結する連結部と
を備え、
前記親指保持部が、前記親指の中手骨と基節骨との間の第１の関節部付近を保持し、
前記小指保持部が、前記小指の中手骨と基節骨との間の第２の関節部付近を保持し、
前記連結部が、金属材料、木材、布状素材、樹脂材料、又は紐からなり、前記第１の関節部付近と前記第２の関節部付近とを近接させ保持する健康器具。
【請求項２】
繊維材料からなる連続部材の第１の部分と前記第１の部分と異なる第２の部分とを結束させ、前記結束された部分が前記連続部材の長手方向に沿って移動可能にする結束部と、
前記結束部により前記第１の部分と前記第２の部分とが結束されて構成される略円形状であり、足の親指の付け根に取り付けられる親指保持部と、
前記連続部材の一方の端と他方の端とを連結させて構成され、前記足の踵付近を保持する踵保持部と、
前記親指保持部と前記踵保持部とを除く前記連続部材の領域であって、前記足の親指を前記足の裏から離れる方向に移動させ、保持する維持部と
を備える健康器具。
【考案の詳細な説明】
【技術分野】
【０００１】
本考案は、健康器具に関する。特に、本考案は、所定の筋肉を緊張状態及び／又は弛緩状態にすることで、所定の姿勢に誘導する健康器具に関する。
【背景技術】
【０００２】
従来、正しい姿勢を身に付けるために所定の色を付した輪を足の親指と人差し指に８の字に交差してかけ歩くことで、指の間を刺激し、内側重心を意識させる矯正器具が知られている（例えば、特許文献１参照。）。特許文献１に記載の矯正器具は、特許文献１の記載によれば、姿勢を正しく矯正することに効果があるとされている。
【先行技術文献】
【特許文献】
【０００３】
【特許文献１】特開２０１６−０９３３８９号
【考案の概要】
【考案が解決しようとする課題】
【０００４】
しかし、特許文献１に記載されている矯正器具においては、単に指の間を刺激するだけであり、刺激により親指に無意識に力を入れさせるので、骨格や筋肉等に無理な力がかかることがある。また、特許文献１に記載されている矯正器具においては、人体を構成する骨格、及び／又は筋肉等にどのような力を与えるのかを考慮していないので、身体の柔軟性や俊敏性等に影響を与える所定の姿勢へと誘導することができない。
【０００５】
したがって、本考案の目的は、手及び／又は足を所定方向に矯正することで、所定の姿勢へと無理なく誘導することができる健康器具を提供することにある。
【課題を解決するための手段】
【０００６】
本考案は、上記目的を達成するため、指を保持する指保持部と、指保持部を予め定められた方向に移動させ、移動後の位置付近に指保持部を維持する維持部とを備える健康器具が提供される。
【０００７】
また、上記健康器具において、指保持部が、親指を保持する親指保持部を有し、維持部が、親指保持部を予め定められた方向に移動させ、移動後の位置付近に親指保持部を維持することもできる。
【０００８】
また、上記健康器具において、親指が手の親指であり、維持部が、手の小指を保持する小指保持部と、親指保持部と小指保持部とを連結する連結部とを有することもできる。
【０００９】
また、上記健康器具において、親指保持部が、親指の中手骨と基節骨との間の第１の関節部付近を保持し、小指保持部が、小指の中手骨と基節骨との間の第２の関節部付近を保持し、連結部が、親指保持部と小指保持部とを連結し、第１の関節部付近と第２の関節部付近との間の距離を掌が開いた状態での当該距離より短い距離にする長さを有することが好ましい。
【００１０】
また、上記健康器具において、親指が足の親指であり、維持部が、足の踵付近を保持する踵保持部と、親指保持部と踵保持部とを連結する連結部とを有することもできる。
【００１１】
また、上記健康器具において、親指保持部が、足の親指の付け根付近を保持し、連結部が、親指保持部と踵保持部とを連結し、足の親指が足の裏から離れる方向に移動する長さを有することが好ましい。
【００１２】
また、上記健康器具において、親指保持部、踵保持部、及び連結部が、連続した連続部材により構成され、連続部材の第１の部分と第１の部分と異なる第２の部分とを結束させる結束部を有し、親指保持部が、結束部により第１の部分と第２の部分とが結束されて構成される略円形状に構成される部分であり、踵保持部が、連続部材の一方の端と他方の端とを連結させて構成され、連結部が、親指保持部と踵保持部とを除く連続部材の領域であることが好ましい。
【００１３】
また、本考案は、上記目的を達成するため、手の親指を保持する親指保持部と、手の小指を保持する小指保持部と、親指保持部と小指保持部とを連結する連結部とを備え、親指保持部が、親指の中手骨と基節骨との間の第１の関節部付近を保持し、小指保持部が、小指の中手骨と基節骨との間の第２の関節部付近を保持し、連結部が、第１の関節部付近と第２の関節部付近とを近接させ、保持する健康器具が提供される。
【００１４】
また、本考案は、上記目的を達成するため、連続部材の第１の部分と第１の部分と異なる第２の部分とを結束させ、結束された部分が連続部材の長手方向に沿って移動可能にする結束部と、結束部により第１の部分と第２の部分とが結束されて構成される略円形状であり、足の親指の付け根に取り付けられる親指保持部と、連続部材の一方の端と他方の端とを連結させて構成され、足の踵付近を保持する踵保持部と、親指保持部と踵保持部とを除く連続部材の領域であって、足の親指を足の裏から離れる方向に移動させ、維持する維持部とを備える健康器具が提供される。
【考案の効果】
【００１５】
本考案に係る健康器具によれば、手及び／又は足を所定方向に矯正することで、所定の姿勢へと無理なく誘導することができる健康器具を提供できる。
【図面の簡単な説明】
【００１６】
【図１】本考案の実施の形態に係る健康器具の概要図である。
【図２】本考案の実施の形態に係る健康器具の概要図である。
【図３】本実施形態に係る健康器具１の使用法を示す図である。
【図４】本実施形態に係る健康器具２の使用法を示す図である。
【図５】本実施形態に係る健康器具１及び／又は健康器具２が骨格等に与える作用の概要図である。
【図６】本実施形態の変形例に係る健康器具の概要図である。
【図７】本実施形態の変形例に係る健康器具の概要図である。
【図８】本実施形態の変形例に係る健康器具の概要図である。
【図９】本実施形態の変形例に係る健康器具の概要図である。
【図１０】本実施形態の変形例に係る健康器具の概要図である。
【考案を実施するための形態】
【００１７】
［実施の形態］
（健康器具の概要）
本実施の形態に係る健康器具は、手及び／又は足の所定の指を保持し、保持した指を予め定められた方向に移動させ、移動させた位置に保持する器具である。
【００１８】
本考案者は、柔軟性や俊敏性等の身体能力について検討した結果、これらの身体能力は筋肉の状態のみならず、骨格が所定の姿勢になることで向上することを見出した。また、本考案者は、手及び／又は足の所定の指の状態と身体能力との関係を研究した結果、手及び／又は足の所定の指、すなわち、少なくとも手及び／又は足の親指を予め定められた方向に移動させ、移動させた後の位置で保持することで、当該移動により緊張状態になる筋肉と、この緊張状態になることの反射として弛緩状態になる筋肉とが存在することを見出し、また、筋肉は手及び／又は足から身体の他の部分の筋肉に連動しており、手及び／又は足の指を所定方向に移動させて緊張状態になる筋肉と弛緩状態になる筋肉との作用が身体の他の部分の筋肉へと連動して作用することも見出した。更に、本考案者は、緊張状態になる筋肉と弛緩状態になる筋肉との存在により、人間の姿勢が所定の姿勢へと誘導されやすくなり、その結果、身体能力（柔軟性や俊敏性、及び／又は代謝等）が向上するという知見を得た。本実施形態に係る健康器具は、係る知見に基づいて創出された器具である。
【００１９】
具体的に、本実施形態に係る健康器具は、指を保持する指保持部と、指保持部を予め定められた方向に移動させ、移動後の位置付近に指保持部を維持する維持部とを備える。より具体的に、健康器具は、指保持部が、親指を保持する親指保持部を有し、維持部が、親指保持部を予め定められた方向に移動させ、移動後の位置付近に親指保持部を維持する機能を有する。以下、更に具体的に、図面を用いて本実施形態に係る健康器具の概要を説明する。
【００２０】
（健康器具の詳細）
図１及び図２は、本考案の実施の形態に係る健康器具の概要を示す。具体的に図１（ａ）は、本実施形態に係る健康器具のうち、手に用いる健康器具の一例を示し、図１（ｂ）は同様に手に用いる健康器具の他の例を示し、図１（ｃ）は同様に手に用いる健康器具の更に他の例を示す。また、図２は、本実施形態に係る健康器具のうち、足に用いる健康器具の一例を示す。
【００２１】
（手に用いる健康器具の詳細）
まず、図１（ａ）を参照する。図１（ａ）には、健康器具１を示す。健康器具１は手に用いる健康器具であって、小指を保持する小指保持部１０と、親指を保持する親指保持部１２と、小指保持部１０と親指保持部１２とを連結する連結部２０とを備える。ここで、親指保持部１２又は小指保持部１０と連結部２０とで、維持部が構成される。
【００２２】
小指保持部１０は、小指が挿入される小指挿入孔１１を有し、正面視にて略円形状に形成される。また、親指保持部１２は、親指が挿入される親指挿入孔１３を有し、正面視にて略円形状に形成される。そして、小指保持部１０と親指保持部１２とは連結部２０によって連結される。なお、小指保持部１０、親指保持部１２、及び連結部２０は、それぞれ別個の部材として構成され、小指保持部１０と親指保持部１２とが連結部２０により連結されて構成されてもよいし、小指保持部１０、親指保持部１２、及び連結部２０が一体として構成されてもよい。
【００２３】
また、親指保持部１２は、手の親指の中手骨と基節骨との間の第１の関節部付近を保持することが好ましい（以下、当該第１の関節部を単に「第１の関節部」と称する。）。例えば、親指挿入孔１３の直径を調整することで、第１の関節部付近に親指保持部１２が位置するようにすることができる。また、小指保持部１０は、手の小指の中手骨と基節骨との間の第２の関節部付近を保持することが好ましい（以下、当該第２の関節部を単に「第２の関節部」と称する。）。例えば、小指挿入孔１１の直径を調整することで、第２の関節部付近に小指保持部１０が位置するようにすることができる。
【００２４】
そして、本実施形態においては、連結部２０が、親指保持部１２と小指保持部１０とを連結し、第１の関節部付近と第２の関節部付近との間の距離を、掌が開いた状態（例えば、掌を平面に接触させた場合であって、各指が当該平面に接し、かつ、各指の間に実質的に隙間がない状態）での第１の関節部付近と第２の関節部付近との間の距離より短い距離にする長さを有することが好ましい。すなわち、小指挿入孔１１の中心と親指挿入孔１３の中心との距離Ｌ１が、掌が開いた状態での第１の関節部付近と第２の関節部付近との間の距離より短くなるように、連結部２０の長さは調整される。これにより、連結部２０は、第１の関節部付近と第２の関節部付近とを近接させる長さを有し、近接させた状態を保持することができる。
【００２５】
小指保持部１０、親指保持部１２、及び連結部２０を構成する材料は、樹脂材料、金属材料、及び／又は木材等、様々な材料を用いることができる。小指保持部１０、親指保持部１２、及び連結部２０を一体として構成する場合は、シリコーン樹脂等の樹脂材料等で一体的に成型してもよい。
【００２６】
次に、図１（ｂ）を参照する。図１（ｂ）には、健康器具の変形例の一つである健康器具１ａを示す。健康器具１ａは健康器具１と略同一の構成及び機能を備えるので、相違点を除き、詳細な説明は省略する。
【００２７】
健康器具１ａは、小指挿入孔１１ａを有する小指保持部１０ａと、親指挿入孔１３ａを有する親指保持部１２ａと、小指保持部１０ａと親指保持部１２ａとを連結し、一方の端に設けられる環状部２２と他方の端に設けられる環状部２４とを有する連結部２０ａとを備える。ここで、親指保持部１２ａ又は小指保持部１０ａと連結部２０ａとで、維持部が構成される。連結部２０ａは、小指保持部１０ａが有する接続部５０に環状部２２が接続されることで小指保持部１０ａに接続され、親指保持部１２ａが有する接続部５２に環状部２４が接続されることで親指保持部１２ａに接続される。また、小指挿入孔１１ａの中心と親指挿入孔１３ａの中心との距離Ｌ１が、掌が開いた状態での第１の関節部付近と第２の関節部付近との間の距離より短くなるように、連結部２０ａの長さは調整される。
【００２８】
次に、図１（ｃ）を参照する。図１（ｃ）には、健康器具の変形例の一つである健康器具１ｂを示す。健康器具１ｂは健康器具１と略同一の構成及び機能を備えるので、相違点を除き、詳細な説明は省略する。
【００２９】
健康器具１ｂは、小指挿入孔１１ａを有する小指保持部１０ａと、親指挿入孔１３ｂの一部に離間部１５を有する親指保持部１２ｂと、小指保持部１０ａと親指保持部１２ｂとを連結し、一方の端に設けられる環状部２２と他方の端に設けられる環状部２４とを有する連結部２０ｂとを備える。ここで、親指保持部１２ｂ又は小指保持部１０ａと連結部２０ｂとで、維持部が構成される。連結部２０ｂは、小指保持部１０ａが有する接続部５０に環状部２２が接続されることで小指保持部１０ａに接続され、親指保持部１２ｂが有する接続部５２に環状部２４が接続されることで親指保持部１２ｂに接続される。また、小指挿入孔１１ａの中心と親指保持部１２ｂの中心との距離Ｌ１が、掌が開いた状態での第１の関節部付近と第２の関節部付近との間の距離より短くなるように、連結部２０ｂの長さは調整される。健康器具１ｂにおいては、健康器具１及び健康器具１ａとは異なり、親指保持部１２ｂが環状ではなく、環状の親指保持部の一部が離間されて離間部１５が設けられているので、手の親指が太い場合でも、手の親指を親指保持部１２ｂに装着しやすい効果を奏する。
【００３０】
なお、健康器具１〜健康器具１ｂにおいて、小指保持部１０及び小指保持部１０ａが離間部を有していてもよい。また、親指が親指挿入孔１３又は親指挿入孔１３ａに挿入可能であり、小指が小指挿入孔１１又は小指挿入孔１１ａに挿入可能である限り、親指保持部１２、親指保持部１２ａ、小指保持部１０、及び小指保持部１０ａの正面視における形状は略円形状に限られない。
【００３１】
（足に用いる健康器具の詳細）
続いて、図２を参照する。図２には、健康器具２を示す。図２（ａ）に示すように健康器具２は、足に装着する前は細長いテープ若しくは紐状の形状を有する連続部材５であって、連続部材５の一部に輪を形成することで足に装着される（結束部６０の図示は図２（ａ）においては省略している。）。すなわち、健康器具２は、図２（ｂ）に示すように、足の親指を保持する親指保持部３０と、足の踵付近を保持する踵保持部４４とを備える。親指保持部３０と踵保持部４４とは連結部２０ｃにより連結される。なお、踵保持部４４と連結部２０ｃにより維持部が構成される。
【００３２】
そして、親指保持部３０は、足の親指の付け根に取り付けられ、足の親指の付け根付近を保持する。連結部２０ｃは、親指保持部３０と踵保持部４４とを連結し、足の親指が足の裏から離れる方向に移動する長さを有するように構成される。すなわち、維持部は、親指保持部３０と踵保持部４４とを除く連続部材５の領域であって、足の親指を足の裏から離れる方向に移動させ維持する。
【００３３】
具体的に、健康器具２は、親指保持部３０、踵保持部４４、及び連結部２０ｃが、連続した連続部材５により構成される。健康器具２は、連続部材５の第１の部分３２と第１の部分３２とは異なる第２の部分３４とを結束させる結束部６０を有している。第１の部分３２及び第２の部分３４はそれぞれ、連続部材５の長手方向中間から所定距離だけ離間した位置に該当する連続部材５の部分である。
【００３４】
そして、親指保持部３０は、結束部６０により第１の部分３２と第２の部分３４とが結束されて構成される略円形状に構成される部分であり、踵保持部４４は、連続部材５の一方の端４０と他方の端４２とを連結させて構成される部分である。一方の端４０に近接する領域には接続部７０が設けられ、他方の端４２に近接する領域には接続部７２が設けられ、接続部７０と接続部７２とが接続されることで、踵保持部４４が形成される。そして、連結部２０ｃは、親指保持部３０と踵保持部４４とを除く連続部材５の領域に対応することになる。
【００３５】
なお、接続部７０及び接続部７２は、例えば、面ファスナー、線ファスナー、フック、及び／又はボタン等を用いて構成される。例えば、接続部７０及び接続部７２として面ファスナーを用いる場合、連続部材５の一方の端４０付近に面ファスナーのループ面（又はフック面）を設け、連続部材５の他方の端４２付近に面ファスナーのフック面（又はループ面）を設ける。そして、連続部材５のループ面（又はフック面）に連続部材５のフック面（又はループ面）を接触させることで、連続部材５の両端が踵に保持される。
【００３６】
また、結束部６０は、第１の部分３２と第２の部分３４とを結束させ、結束された部分を連続部材５の長手方向に移動可能にすることができる（この場合、結束部６０の移動により、第１の部分３２及び第２の部分３４も移動することになる。）。そして、結束部６０により第１の部分３２と第２の部分３４とが結束されて構成される略円形状の部分が親指保持部３０になる。結束部６０は、連続部材５の長手方向に移動自在に設けられるので、親指保持部３０の直径を自在に調整できる。なお、図２（ａ）及び図２（ｂ）では図示を省略しているが、結束部６０は、連続部材５の一方の端４０及び他方の端４２が通る貫通孔を有しており、当該貫通孔に一方の端４０及び他方の端４２の双方を通すことで、図２（ｂ）に示す健康器具２が構成される。
【００３７】
連続部材５を構成する材料は、樹脂材料、及び／又は繊維材料等が挙げられる。また、結束部６０を構成する材料としては、樹脂材料、金属材料、及び／又は木材等、様々な材料が挙げられる。
【００３８】
（健康器具１の使用方法）
図３は、本実施形態に係る健康器具１の使用法の概要を示す。なお、健康器具１ａ及び健康器具１ｂについても健康器具１と同様に使用することができるので、相違点を除き、ここでは説明を省略する。
【００３９】
健康器具１を手８０（左手、及び／又は右手）に装着する（図３では一例として、左手に装着した例を示している。）。すなわち、手８０の小指に小指保持部１０を装着し、手８０の親指に親指保持部１２を装着する。健康器具１を手８０に装着すると、手８０の親指と手８０の小指とが、掌が開いた状態よりも接近する（図３の矢印参照。）。これにより、手８０の筋肉の一部分が緊張し、これに拮抗する筋肉が反射として弛緩する。この筋肉の緊張状態、及び弛緩状態は腕等の筋肉へも伝達する。この筋肉の連動性の結果、人体の腹圧が抜けにくくなり、骨盤が倒れるのが防止され、重心の移動がしやすくなるので、一定の姿勢へと誘導しやすくなる。つまり、重心が整えられ、体幹が維持されることで、所定の姿勢へと誘導される。
【００４０】
（健康器具２の使用方法）
図４は、本実施形態に係る健康器具２の使用法の概要を示す。
【００４１】
健康器具２を足８５（左足、及び／又は右足）に装着する（図４では一例として、右足に装着した例を示している。）。具体的に、足８５の親指に親指保持部３０を装着し、踵付近に踵保持部４４を装着する。すなわち、連続部材５を交差させ、交差部分を結束部６０により結束し、略円形状の親指保持部３０を形成する。そして、親指保持部３０を足８５の親指の付け根に取り付け、連続部材５の一方の端４０と他方の端４２とを連結させ、連結させた部分を含む所定の部分を踵保持部４４にする。健康器具２を足８５に装着すると、足８５の裏全体が平面に接した状態から、足８５の親指が当該平面から離れる方向に持ち上げられた状態が維持される（図４の矢印参照。）。これにより母指球が突出するため、重心が移動し、骨盤が倒れるのが防止されて腹圧が入り、一定の姿勢へと誘導しやすくなる。つまり、重心が整えられ、体幹が維持されることで、所定の姿勢へと誘導される。
【００４２】
なお、健康器具１（又は健康器具１ａ若しくは健康器具１ｂ）と健康器具２とは、別々に用いることも、双方を同時に用いることもできる。また、右手、左手、右足、及び左足からなる群から選択される少なくとも１つに健康器具１及び／又は健康器具２を装着させることができる。健康器具１と健康器具２との双方を用いた場合、人体の重心が整い、体幹を維持する効果がより高まるので、所定の姿勢への誘導がより容易となり、柔軟性や俊敏性等の身体能力がより向上する。
【００４３】
（健康器具１及び／又は健康器具２が骨格等に与える作用）
図５は、本実施形態に係る健康器具１及び／又は健康器具２が骨格等に与える作用の概要の一例を示す。具体的に、図５（ａ）は、健康器具１及び／又は健康器具２が骨格等に与える作用を骨格の正面から観察した場合の例を示し、図５（ｂ）は、健康器具１及び／又は健康器具２が骨格等に与える作用を骨格の側面から観察した場合の例を示す。
【００４４】
健康器具１及び／又は健康器具２を装着することで、図５に示すように、一定の姿勢（方向１００で示す上腕の外旋方向、方向１０２で示す前腕の内旋方向、方向１０４で示す大腿の外旋方向、方向１０６で示す下腿の内旋方向、方向１１０及び方向１１２で示す脊椎が伸展する方向、方向１０８で示す肩甲骨が前傾し下制する方向、方向１１４で示す骨盤がやや前傾する方向）へと誘導することができる。すなわち、健康器具１及び／又は健康器具２によれば、手及び／又は足の親指を所定方向に移動させ、移動後の位置に維持することで、手及び／又は足に連なる筋肉を所定方向にねじった状態を維持できる。健康器具１及び／又は健康器具２によれば、この「ねじった状態」により身体の筋肉の緊張状態及び弛緩状態を維持して図５に示す一定の姿勢へと誘導できるので、例えば、前屈のみならず、開脚や後屈等の身体能力が向上する。
【００４５】
図６は、本実施形態の変形例に係る健康器具の概要図である。具体的に図６（ａ）は、健康器具１ｃの斜視図の概要を示し、図６（ｂ）は健康器具１ｃの上面からの概要を示し、図６（ｃ）は健康器具１ｃの使用例を示す。図６に示す健康器具１ｃは、健康器具１と略同様の機能及び／又は構成を備える。したがって、相違点を除き、詳細な説明は省略する。
【００４６】
健康器具１ｃは、略円筒形状のサポート部２６と、サポート部２６の内側に設けられる親指保持部１２ｃと、親指保持部１２ｃから予め定められた距離離れた位置に設けられる小指保持部１０ｂとを備える。親指保持部１２ｃ及び小指保持部１０ｂは、サポート部２６の一方の端付近に設けられる。そして、図６（ｂ）に示すように、親指保持部１２ｃと小指保持部１０ｂとの間に連結部２０ｄが設けられる。小指保持部１０ｂ又は親指保持部１２ｃと連結部２０ｄとにより維持部が構成される。
【００４７】
ここで、サポート部２６は、例えば、伸縮性を有する布状素材を用いて構成することができる。そして、図６（ｃ）に示すように、サポート部２６の他方の端から手８０を通し、手８０の親指を親指保持部１２ｃに挿入し、手８０の小指を小指保持部１０ｂに通す。この場合において、親指保持部１２ｃは、少なくとも親指の中手骨と基節骨との間の第１の関節部付近を保持し、小指保持部１０ｂは、少なくとも小指の中手骨と基節骨との間の第２の関節部付近を保持し、連結部２０ｄは、親指保持部１２ｃと小指保持部１０ｂとを連結し、第１の関節部付近と第２の関節部付近との間の距離を掌が開いた状態での当該距離より短い距離にする長さを有する。そして、健康器具１ｃにおいては、伸縮性を有する素材を用いてサポート部２６を構成することで連結部２０ｄも伸縮性を有するので、第１の関節部付近と第２の関節部付近との距離を近接させた状態で維持することができる。
【００４８】
図７は、本実施形態の変形例に係る健康器具の概要図である。具体的に図７（ａ）は、健康器具１ｄの上面からの概要を示し、図７（ｂ）は健康器具１ｄの側面からの概要を示し、図７（ｃ）は健康器具１ｄの使用例を示す。図７に示す健康器具１ｄは、健康器具１と略同様の機能及び／又は構成を備える。したがって、相違点を除き、詳細な説明は省略する。
【００４９】
健康器具１ｄは、平面視にて略円形状であると共に一部が離間した離間部１５ａを有し、親指を保持する親指保持部１２ｄと、伸縮性を有すると共に紐、テープ、又はバンド状の連続部材からなる連結部２０ｅの親指保持部１２ｄとは反対側に位置する小指保持部１０ｃとを備える。健康器具１ｄにおいては、親指保持部１２ｄが閉じた空隙１４を有しており、空隙１４に連続部材を通し、連続部材の一方の端と他方の端とを接続することで連結部２０ｅ及び小指保持部１０ｃが構成される。
【００５０】
そして、図７（ｃ）に示すように、親指保持部１２ｄに手８０の親指を通し、連続部材で構成される環状部内側に手８０の小指を通すと、連続部材の小指に接する箇所が小指保持部１０ｃとして機能する。そして、健康器具１ｄにおいては、連結部２０ｅは、親指保持部１２ｄと小指保持部１０ｃとを連結し、第１の関節部付近と第２の関節部付近との間の距離を掌が開いた状態での当該距離より短い距離にする長さを有する。そして、健康器具１ｄにおいては、伸縮性を有する素材を用いて連結部２０ｅを構成できるので、連結部２０ｅが伸縮性を有することができ、その結果、第１の関節部付近と第２の関節部付近との距離を近接させた状態で維持することができる。
【００５１】
図８は、本実施形態の変形例に係る健康器具の概要図である。具体的に図８（ａ）は、健康器具１ｅの斜視図の概要を示し、図８（ｂ）は健康器具１ｅの上面からの概要を示し、図８（ｃ）は健康器具１ｅの側面の概要を示す。図８に示す健康器具１ｅは、健康器具１と略同様の機能及び／又は構成を備える。したがって、相違点を除き、詳細な説明は省略する。
【００５２】
健康器具１ｅは小指を保持する小指保持部１０ｄと、親指を保持する親指保持部１２ｅと、小指保持部１０ｄと親指保持部１２ｅとを連結する連結部２０ｆとを備える。ここで、親指保持部１２ｅ又は小指保持部１０ｄと連結部２０ｆとで、維持部が構成される。小指保持部１０ｄは、小指が挿入される小指挿入孔１１ｂを有し、正面視にて略円形状に形成される。また、親指保持部１２ｅは、親指が挿入される親指挿入孔１３ｃを有し、正面視にて略円形状に形成される。そして、小指保持部１０ｄと親指保持部１２ｅとは連結部２０ｆによって連結される。
【００５３】
健康器具１ｅにおいては、図８（ｃ）に示すように、健康器具１ｅ全体が所定の厚さを有して構成される。健康器具１ｅは、例えば、シリコーン樹脂等の樹脂材料を用いて構成することができる。
【００５４】
図９は、本実施形態の変形例に係る健康器具の概要図である。具体的に図９（ａ）は、健康器具２ａの正面からの概要を示し、（ｂ）は足に装着した状態の概要を示す。なお、健康器具２ａは、足に用いる健康器具２の変形例であり、健康器具２と略同様の機能及び構成を備えるので、相違点を除き、詳細な説明は省略する。
【００５５】
健康器具２ａは、伸縮性を有する細長いテープ若しくは紐状の連続部材の２か所に切れ目を設け、一方の端部と他方の端部とを連続部材の所定の箇所に固定することで構成される。図９（ａ）の例では、連続部材の一部であって連続部材の長手方向に設けられる切れ目３８近傍の連続部材の一端と連続部材の他端とが、切れ目３８近傍であって連続部材の一端から離れた側において結合部５５により結合される。なお、結合部５５は、糸等により縫い付けることや接着剤等で接着することで構成される。
【００５６】
すなわち、健康器具２ａは、図９（ａ）に示すように、連続部材の一部に連続部材の長手方向に切れ目３８を設け、切れ目３８により分断された連続部材の一方の側に設けられる親指保持部３０ａと、他方の側に設けられ、足の親指の付け根付近を保持する保持部３０ｂとを備える。また、健康器具２ａは、連続部材の他の部分に連続部材の長手方向に切れ目４７を設け、切れ目４７により分断された連続部材の一方の側に設けられる踵保持部４４ａと、他方の側に設けられ、足に装着した場合に土踏まず部分近傍を支持する支持部４５とを備える。なお、結合部５５から切れ目４７の端部付近までの領域が連結部２０ｃに対応する。
【００５７】
そして、図９（ｂ）に示すように、健康器具２ａを足に装着する（図９（ｂ）では一例として、右足に装着した例を示す。）。具体的に、連続部材の両端を結合部５５において結合することで形成される輪であって、親指保持部３０ａとは異なる輪の部分に足を通す。そして、親指８６の付け根付近に保持部３０ｂが位置し、親指８６の先端付近に親指保持部３０ａが位置するように、親指保持部３０ａにより形成される孔３６に足の親指８６を通す。また、踵８８付近を保持するように踵保持部４４ａを足に装着すると共に、支持部４５を土踏まず付近を支持するように装着する。これにより、健康器具２ａを足に装着すると、足の裏全体が平面に接した状態から、足の親指８６が当該平面から離れる方向に持ち上げられた状態が維持される。
【００５８】
図１０は、本実施形態の変形例に係る健康器具の概要図である。具体的に図１０は、健康器具２ｂの正面からの概要を示す。なお、健康器具２ｂは、足に用いる健康器具２の変形例であり、健康器具２と略同様の機能及び構成を備えるので、相違点を除き、詳細な説明は省略する。
【００５９】
健康器具２ｂは、伸縮性を有する細長いテープ若しくは紐状の連続部材をひねって環状（１本の環状の連続部材をひねるので、２つの環状領域が生成される。）にした環状部材を２つ準備し、一方の環状部材と他方の環状部材とを所定の位置で結合させて構成される。図１０の例では、一方の環状部材の所定の位置と他方の環状部材の所定の位置（一例として、一方の連続部材のひねった部分と他方の連続部材のひねった部分）とを結合部５５ａで結合させることで、健康器具２ｂが構成される。この場合において、健康器具２ｂは、４つの環状部分を有し、そのうち２つの環状部分（第１の一対の環状部分）が他の２つの環状部分（第２の一対の環状部分）より小さな半径を有して構成される。なお、結合部５５ｂは、糸等により縫い付けることや接着剤等で接着することで構成される。
【００６０】
そして、第１の一対の環状部分の一方の環状部分が親指保持部３１に対応し、他方の環状部分が保持部３１ａに対応する。親指保持部３１は、足の親指の先端部分を保持し、保持部３１ａは、足の親指の付け根部分を保持する。また、第２の一対の環状部分の一方の環状部分が踵保持部４４ｂに対応し、他方の環状部分が支持部４５ａに対応する。なお、結合部５５ａから踵保持部４４ｂまでの領域が連結部２０ｃに対応する。
【００６１】
健康器具２ｂにおいては、足を第２の一対の環状部分に通し、足の親指の付け根付近に保持部３１ａが位置し、親指の先端付近に親指保持部３１が位置するように、第１の一対の環状部分に足の親指を通す。また、踵付近を保持するように踵保持部４４ｂを足に装着すると共に、支持部４５ａを土踏まず付近を支持するように装着する。これにより、健康器具２ｂを足に装着すると、足の裏全体が平面に接した状態から、足の親指が当該平面から離れる方向に持ち上げられた状態が維持される。なお、支持部４５ａは、踵保持部４４ｂと共に踵付近を保持してもよい。
【００６２】
（実施の形態の効果）
本実施の形態に係る健康器具は、手及び／又は足の親指を予め定められた方向に簡単に移動、かつ、保持できる（すなわち、健康器具によれば、手の親指と小指とを接近させてその状態を維持すること、及び／又は足の親指を足の裏が地面についた状態から立たせてその状態を維持することができる。）。その結果、本実施形態に係る健康器具によれば、手及び／又は足の親指を所定の方向に矯正できるので、簡単かつ安全に重心がより整った体幹を維持することができ、一定の姿勢へと誘導することができる。これにより、本実施形態に係る健康器具によれば、開脚、前屈、後屈等の身体能力をより向上させることができる。
【００６３】
すなわち、本実施形態に係る健康器具１及び／又は健康器具２によれば、所定の筋肉を緊張状態にすると共に、その反射として所定の筋肉を弛緩状態にすることができるので、健康器具１及び／又は健康器具２を装着しただけで、開脚、前屈、後屈等をしやすくなるという身体能力の向上を図ることができる。
【００６４】
つまり、本実施形態に係る健康器具１及び／又は健康器具２によれば、以下の効果を望むことができる。
（１）健康器具１及び／又は健康器具２を装着すると、健康器具１及び／又は健康器具２を装着していない場合に比べ、脚の開脚、前屈、及び／又は後屈を痛みなく容易に実現でき、筋肉の柔軟性と俊敏性とを向上させることができる。
（２）健康器具１及び／又は健康器具２を装着すると、健康器具１及び／又は健康器具２を装着していない場合に比べ、代謝が向上し、体幹の筋肉運動が推進される。
（３）健康器具１及び／又は健康器具２を装着すると、健康器具１及び／又は健康器具２を装着していない場合に比べ、体の関節等の可動域が拡がり、筋肉の柔軟性と俊敏性とを向上させることができる。
（４）健康器具１及び／又は健康器具２を装着すると、健康器具１及び／又は健康器具２を装着していない場合に比べ、腹圧が入り、消化器官が下垂しないので、消化能力が向上する。
（５）健康器具１及び／又は健康器具２を装着して睡眠をとると、健康器具１及び／又は健康器具２を装着していない場合に比べ、腹圧が入り、体幹が鍛えられるので、代謝能力が向上する。
【００６５】
なお、本実施形態に係る健康器具１は、不使用時は、例えば、親指保持部等を他の指に挿入することで、アクセサリーとして用いることもできる。
【００６６】
以上、本考案の実施の形態を説明したが、上記に記載した実施の形態は実用新案登録請求の範囲に係る考案を限定するものではない。また、実施の形態の中で説明した特徴の組合せの全てが考案の課題を解決するための手段に必須であるとは限らない点に留意すべきである。
【符号の説明】
【００６７】
１、１ａ、１ｂ、１ｃ、１ｄ、１ｅ、２、２ａ、２ｂ  健康器具
５  連続部材
１０、１０ａ、１０ｂ、１０ｃ、１０ｄ  小指保持部
１１、１１ａ、１１ｂ  小指挿入孔
１２、１２ａ、１２ｂ、１２ｃ、１２ｄ、１２ｅ  親指保持部
１３、１３ａ、１３ｂ、１３ｃ  親指挿入孔
１４  空隙
１５、１５ａ  離間部
２０、２０ａ、２０ｂ、２０ｃ、２０ｄ、２０ｅ、２０ｆ  連結部
２２、２４  環状部
２６  サポート部
３０、３０ａ、３１  親指保持部
３０ｂ  保持部
３１ａ  保持部
３２  第１の部分
３４  第２の部分
３６  孔
３８  切れ目
４０  一方の端
４２  他方の端
４４、４４ａ、４４ｂ  踵保持部
４５、４５ａ  支持部
４７  切れ目
５０、５２  接続部
５５、５５ａ  結合部
６０  結束部
７０、７２  接続部
８０  手
８５  足
８６  親指
８８  踵
１００、１０２、１０４、１０６、１０８、１１０、１１２、１１４  方向
【図１】
0003217091.tif 000003
【図２】
0003217091.tif 000004
【図３】
0003217091.tif 000005
【図４】
0003217091.tif 000006
【図５】
0003217091.tif 000007
【図６】
0003217091.tif 000008
【図７】
0003217091.tif 000009
【図８】
0003217091.tif 000010
【図９】
0003217091.tif 000011
【図１０】
0003217091.tif 000012
【手続補正書】
【提出日】平成30年5月11日(2018.5.11)
【手続補正１】
【補正対象書類名】実用新案登録請求の範囲
【補正対象項目名】全文
【補正方法】変更
【補正の内容】
【実用新案登録請求の範囲】
【請求項１】
手の親指を保持する親指保持部と、
前記手の小指を保持する小指保持部と、
前記親指保持部と前記小指保持部とを連結する連結部と
を備え、
前記親指保持部が、前記親指の中手骨と基節骨との間の第１の関節部付近を保持し、
前記小指保持部が、前記小指の中手骨と基節骨との間の第２の関節部付近を保持し、
前記連結部が、金属材料、木材、布状素材、樹脂材料、又は紐からなり、前記第１の関節部付近と前記第２の関節部付近とを近接させ保持する健康器具。